(57)【要約】  本発明はコンパクト容器を外容器と前記外容器の一側にヒンジ結合されて開閉される外容器蓋と、前記外容器に装着されて内部に化粧料が収容される内容物皿、及び前記外容器の一側にヒンジ結合されて内容物皿を開閉する内容物皿蓋から構成し、前記内容物皿が外容器下側から結合されるようにすることで、コンパクト容器に化粧料を充填する際、内容物皿内部に化粧料を充填した後、前記内容物皿を外容器蓋と内容物皿蓋が組立てられた外容器下側から結合して化粧料充填工程を改善し、これにより製品の生産性が向上された構造が単純で化粧料充填工程が改善されたコンパクト容器に関する。
2019524332.tif 000002
【特許請求の範囲】
【請求項１】
外容器と、
前記外容器に結合されて開閉される外容器蓋と、
前記外容器に装着され、内部に化粧料が収容される内容物皿と、
前記外容器に結合されて内容物皿を開閉する内容物皿蓋を含み、
前記外容器蓋と内容物皿蓋が組立てられた外容器下側に化粧料が充填された内容物皿が結合されることを特徴とする構造が単純で化粧料充填工程が改善されたコンパクト容器。
【請求項２】
前記外容器には第１ヒンジ突起が形成され、外容器蓋には第１ヒンジ溝が形成されて互いに回動可能に結合されることを特徴とする請求項１に記載の構造が単純で化粧料充填工程が改善されたコンパクト容器。
【請求項３】
前記外容器の一側には第２ヒンジ溝が形成され、内容物皿蓋の一側には第２ヒンジ突起が形成されて互いに回動可能に結合されることを特徴とする請求項１に記載の構造が単純で化粧料充填工程が改善されたコンパクト容器。
【請求項４】
前記内容物皿の内容物皿壁上端に第１密閉突輪が形成され、
外容器の内壁内側に一定の間隔離隔されて第２密閉突輪が形成され、
前記第１密閉突輪が外容器の内壁と第２密閉突輪との間に嵌入されることを特徴とする請求項１に記載の構造が単純で化粧料充填工程が改善されたコンパクト容器。
【請求項５】
前記外容器上部に第３密閉突輪が形成され、前記内容物皿蓋の外周縁に密閉溝が形成されて前記第３密閉突輪が嵌入されることを特徴とする請求項１に記載の構造が単純で化粧料充填工程が改善されたコンパクト容器。
【請求項６】
前記内容物皿の下部外周縁にフランジが外側に延長形成されて外容器の外壁内周縁に密着されることを特徴とする請求項１に記載の構造が単純で化粧料充填工程が改善されたコンパクト容器。
【請求項７】
前記内容物皿蓋４０下部面に密閉部４８が突出形成されて外容器１０の水平延長片１８内側に嵌入されることを特徴とする請求項１に記載の構造が単純で化粧料充填工程が改善されたコンパクト容器。
【発明の詳細な説明】
【技術分野】
【０００１】
本発明は、構造が単純で化粧料充填工程が改善されたコンパクト容器に関し、さらに詳細には、コンパクト容器を外容器、前記外容器の一側にヒンジ結合されて開閉される外容器蓋、前記外容器に装着されて内部に化粧料が収容される内容物皿、及び前記外容器の一側にヒンジ結合されて内容物皿を開閉する内容物皿蓋から構成し、前記内容物皿が外容器下側から結合されるようにすることで、コンパクト容器に化粧料を充填する際、内容物皿内部に化粧料を充填した後、前記内容物皿を外容器蓋と内容物皿蓋が組立てられた外容器下側から結合して化粧料充填工程を改善し、これにより製品の生産性が向上された構造が単純で化粧料充填工程が改善されたコンパクト容器に関する。
【背景技術】
【０００２】
一般的に、化粧とは化粧品を塗ったり擦りつけて顔を美しく整える行為を言うが、このような化粧に使用される化粧品は大きく基礎化粧品と色調化粧品に分けられる。
【０００３】
前記基礎化粧品は肌に栄養を供給し、水分が蒸発されないようにすることを目的とし、色調化粧品は顔全体または特定部位の肌の色を補正したり美しさを追求することを目的とするが、このような色調化粧品はパウダー、ファンデーション及び頬紅などが代表的である。
【０００４】
特に、色調化粧時に一般的に使用されるパウダー化粧品は、パウダーをパフ（Ｐｕｆｆ）に充分につけた後これを顔に均等に塗って肌に被せる方法で使用され、固形タイプまたは粉末状タイプまたはゲル状タイプとしてコンパクト容器に収容されて使用される。
【０００５】
前記コンパクト容器は内部に色調化粧品と化粧道具であるパフ（Ｐｕｆｆ）が内蔵され、蓋内側に鏡が付着されており、女性たちがハンドバッグまたはポーチに入れて持ち歩きながら使用することができるように小さく製作された化粧品容器を言う。
【０００６】
上記のような従来のコンパクト容器として、韓国登録特許第１０−１４９９１３４号が開示されているが、前記従来技術は図１から分かるように、下側本体と、前記下側本体の一側にヒンジ結合されて開閉される開閉カバーと、前記下側本体の上側に結合される上側本体と、前記上側本体内側に装着されて化粧料が収容される下部キャップ及び前記内容物容器の一側にヒンジ結合されて開閉される上部キャップから構成される。
【０００７】
しかし、前記従来のコンパクト容器は製造されたコンパクト容器内部に化粧料を充填する際、下側本体から開閉カバーを開放し、下部キャップから上部キャップを開放してから、前記下部キャップ内部に化粧料を充填した後、再び上部キャップを閉め、開閉カバーを閉めなければならないので、化粧料充填工程が複雑になり生産性が低下される問題点があった。
【０００８】
また、前記従来のコンパクト容器は下側本体と開閉カバーと下部キャップ及び上部キャップ以外に上側本体がさらに追加されて構造が複雑になり、これによりコンパクト容器の製造原価が上昇されて価格競争力が劣る問題があった。
【発明の概要】
【発明が解決しようとする課題】
【０００９】
本発明は上記のような問題点を解決するために案出されたものであって、コンパクト容器を外容器、前記外容器の一側にヒンジ結合されて開閉される外容器蓋、前記外容器に装着されて内部に化粧料が収容される内容物皿、及び前記外容器の一側にヒンジ結合されて内容物皿を開閉する内容物皿蓋から構成し、前記内容物皿が外容器下側から結合されるようにすることで、コンパクト容器に化粧料を充填する際、内容物皿内部に化粧料を充填した後、前記内容物皿を外容器蓋と内容物皿蓋が組立てられた外容器下側から結合して化粧料充填工程を改善し、これにより製品の生産性が向上された構造が単純で化粧料充填工程が改善されたコンパクト容器を提供することに目的がある。
【００１０】
また、外容器に外容器蓋と内容物皿蓋をヒンジピンなしで回動可能に嵌合結合し、前記外容器下側に内容物皿を嵌合結合して構造を単純化し、組立工程を簡素化することで、製造原価を下げて価格競争力が向上されるようにした構造が単純で化粧料充填工程が改善されたコンパクト容器を提供することに目的がある。
【００１１】
また、内容物皿の内容物皿壁上端に第１密閉突輪を形成し、外容器の内壁内側に一定の間隔離隔して第２密閉突輪を形成し、前記第１密閉突輪が外容器の内壁と第２密閉突輪との間に嵌入されるようにすることで、内容物皿の密閉力を増大させた構造が単純で化粧料充填工程が改善されたコンパクト容器を提供することに目的がある。
【００１２】
また、外容器上部に第３密閉突輪を上側に延長形成し、内容物皿蓋の外周縁に密閉溝を形成して前記第３密閉突輪が密閉溝に嵌入されるようにすることで、内容物皿の密閉力をさらに増大させた構造が単純で化粧料充填工程が改善されたコンパクト容器を提供することに目的がある。
【００１３】
また、内容物皿の下部外周縁にフランジを外側に延長形成して外容器の外壁内周縁に密着されるようにすることで、前記フランジが外容器の内部の空いた空間が外部から見えないように覆って審美感を向上させた構造が単純で化粧料充填工程が改善されたコンパクト容器を提供することに目的がある。
【課題を解決するための手段】
【００１４】
本発明は外容器と、
前記外容器に結合されて開閉される外容器蓋と、
前記外容器に装着され、内部に化粧料が収容される内容物皿と、
前記外容器に結合されて内容物皿を開閉する内容物皿蓋を含み、
前記外容器蓋と内容物皿蓋が組立てられた外容器下側に化粧料が充填された内容物皿が結合されることを特徴とする構造が単純で化粧料充填工程が改善されたコンパクト容器を提供する。
【００１５】
また、前記外容器には第１ヒンジ突起が形成され、外容器蓋には第１ヒンジ溝が形成されて互いに回動可能に結合されることを特徴とする。
【００１６】
また、前記外容器の一側には第２ヒンジ溝が形成され、内容物皿蓋の一側には第２ヒンジ突起が形成されて互いに回動可能に結合されることを特徴とする。
【００１７】
また、前記内容物皿の内容物皿壁上端に第１密閉突輪が形成され、
外容器の内壁内側に一定の間隔離隔されて第２密閉突輪が形成され、前記第１密閉突輪が外容器の内壁と第２密閉突輪との間に嵌入されることを特徴とする。
【００１８】
また、前記外容器上部に第３密閉突輪が形成され、前記内容物皿蓋の外周縁に密閉溝が形成されて前記第３密閉突輪が嵌入されることを特徴とする。
【００１９】
また、前記内容物皿の下部外周縁にフランジが外側に延長形成されて外容器の外壁内周縁に密着されることを特徴とする。
【発明の効果】
【００２０】
本発明にかかる構造が単純で化粧料充填工程が改善されたコンパクト容器は、外容器、前記外容器の一側にヒンジ結合されて開閉される外容器蓋、前記外容器に装着されて内部に化粧料が収容される内容物皿、及び前記外容器の一側にヒンジ結合されて内容物皿を開閉する内容物皿蓋から構成され、前記内容物皿が外容器下側から結合されるようにすることで、コンパクト容器に化粧料を充填する際、内容物皿内部に化粧料を充填した後、前記内容物皿を外容器蓋と内容物皿蓋が組立てられた外容器下側から結合して化粧料充填工程を改善し、これにより製品の生産性が向上される効果がある。
【００２１】
また、本発明にかかる構造が単純で化粧料充填工程が改善されたコンパクト容器は、外容器に外容器蓋と内容物皿蓋をヒンジピンなしで回動可能に嵌合結合し、前記外容器下側に内容物皿を嵌合結合して構造を単純化し、組立工程を簡素化することで、製造原価を下げて価格競争力が向上される効果がある。
【００２２】
また、本発明にかかる構造が単純で化粧料充填工程が改善されたコンパクト容器は、内容物皿の内容物皿壁上端に第１密閉突輪を形成し、外容器の内壁内側に一定の間隔離隔して第２密閉突輪を形成し、前記第１密閉突輪が外容器の内壁と第２密閉突輪との間に嵌入されるようにすることで、内容物皿の密閉力が増大される効果がある。
【００２３】
また、本発明にかかる構造が単純で化粧料充填工程が改善されたコンパクト容器は、外容器上部に第３密閉突輪を上側に延長形成し、内容物皿蓋の外周縁に密閉溝を形成して前記第３密閉突輪が密閉溝に嵌入されるようにすることで、内容物皿の密閉力がさらに増大される効果がある。
【００２４】
また、本発明にかかる構造が単純で化粧料充填工程が改善されたコンパクト容器は、内容物皿の下部外周縁にフランジを外側に延長形成して外容器の外壁内周縁に密着されるようにすることで、前記フランジが外容器の内部の空いた空間が外部から見えないように覆って審美感を向上させる効果がある。
【図面の簡単な説明】
【００２５】
【図１】図１は従来の化粧品容器である。
【図２】図２は本発明の一実施例にかかるコンパクト容器の斜視図である。
【図３】図３は本発明の一実施例にかかるコンパクト容器の分解斜視図である。
【図４】図４は本発明の一実施例にかかるコンパクト容器のＡ−Ａ断面図である。
【図５】図５は本発明の一実施例にかかるコンパクト容器のＢ−Ｂ断面図である。
【図６】図６は本発明の一実施例にかかるコンパクト容器の外容器下側に化粧料が充填された内容物皿を結合する姿を示す断面図である。
【図７】図７は本発明の一実施例にかかるコンパクト容器の外容器下側に化粧料が充填された内容物皿を結合する姿を示す斜視断面図である。
【図８】図８は本発明の他の実施例にかかるコンパクト容器の断面図である。
【発明を実施するための形態】
【００２６】
本発明と本発明の実施によって達成される技術的課題は、次で説明する好ましい実施例によって明確にされる。以下、添付の図面を参照して本発明にかかる構造が単純で化粧料充填工程が改善されたコンパクト容器の一実施例を詳細に考察すれば次の通りである。
【００２７】
図２は本発明の一実施例にかかるコンパクト容器の斜視図であり、図３は本発明の一実施例にかかるコンパクト容器の分解斜視図であり、図４は本発明の一実施例にかかるコンパクト容器のＡ−Ａ断面図であり、図５は本発明の一実施例にかかるコンパクト容器のＢ−Ｂ断面図である。
【００２８】
本発明にかかる構造が単純で化粧料充填工程が改善されたコンパクト容器は、外容器１０と、前記外容器１０に結合されて開閉される外容器蓋２０と、前記外容器１０に装着され、内部に化粧料が収容される内容物皿３０と、前記外容器１０に結合されて内容物皿３０を開閉する内容物皿蓋４０を含み、前記外容器蓋２０と内容物皿蓋４０が組立てられた外容器１０下側に化粧料が充填された内容物皿３０が結合されることを特徴とする。
【００２９】
前記外容器１０は上部と下部が開放されたリング形態であり、内側に内容物皿３０が結合される。
【００３０】
前記外容器１０前面にはボタン１１が形成され、前記ボタン１１上部には使用者のプッシュ動作によって後退される係止突起１１２が突出形成される。
【００３１】
前記外容器１０のボタン１１の対向側には外容器蓋２０がヒンジ結合される第１ヒンジ突起１３が形成される。
【００３２】
前記外容器１０上部面の一側には内容物皿蓋４０とヒンジ結合される第２ヒンジ溝１５が形成される。
【００３３】
前記外容器１０は、外壁１２、前記外壁１２上部から内側に延長形成された連結片１４、前記外壁１２と一定の間隔離隔されて連結片１４下側に延長形成された内壁１６、及び前記内壁１６上部から内側に延長形成された水平延長片１８からなる。
【００３４】
前記内壁１６内周縁には内容物皿３０が結合される装着溝１６２が形成される。
【００３５】
前記水平延長片１８上部には第３密閉突輪１９が上側に延長形成され、前記水平延長片１８下部には第２密閉突輪１７が下側に延長形成される。前記第２密閉突輪１７は内壁１６内側に一定の間隔離隔されて形成される。
【００３６】
前記外容器蓋２０は外容器１０の一側にヒンジ結合されて前記外容器１０を開閉する。
【００３７】
前記外容器蓋２０の前面には突起形状のフック２１が形成されて前記外容器１０の係止突起１１２と締結される。
【００３８】
前記外容器蓋２０のフック２１の対向側には第１ヒンジ溝２３が形成され、前記第１ヒンジ溝２３には第１ヒンジ突起１３が回動可能に結合される。
【００３９】
即ち、本発明の一実施例にかかるコンパクト容器は、外容器１０に外容器蓋２０と内容物皿蓋４０をヒンジピンなしで回動可能に嵌合結合して組立工程を簡素化し、製造原価を下げて価格競争力が向上されるようにした。
【００４０】
前記外容器蓋２０の内側には使用者が容易に化粧を施すことができるように鏡が形成される場合がある。
【００４１】
図６は本発明の一実施例にかかるコンパクト容器の外容器下側に化粧料が充填された内容物皿を結合する姿を示す断面図であり、図７は本発明の一実施例にかかるコンパクト容器の外容器下側に化粧料が充填された内容物皿を結合する姿を示す斜視断面図である。
【００４２】
前記内容物皿３０の内部には化粧料または化粧料が含浸された含浸部材が収容される。
【００４３】
前記内容物皿３０は図６と図７から分かるように、化粧料充填工程時、外容器１０下側に結合される。
【００４４】
従来のコンパクト容器は、図１から分かるように、容器構成を各々製造して組立ててから、前記組立体を化粧料充填工程に移動させるようになる。この時コンパクト容器内部に化粧料を充填するために下側本体から開閉カバーを開放し、下部キャップから上部キャップを開放してから、前記下部キャップ内部に化粧料を充填した後、再び上部キャップを閉め、開閉カバーを閉める段階を経なければならないので、化粧料充填工程が複雑になり生産性が低下される問題点があった。
【００４５】
よって、本発明は化粧料を充填する際、内容物皿３０内部に化粧料を充填した後、外容器蓋２０と内容物皿蓋４０が組立てられた外容器１０下側に前記内容物皿３０を結合するようにすることで、外容器蓋２０と内容物皿蓋４０の開閉段階を省略して化粧料充填工程を単純化した。
【００４６】
言い換えれば、本発明はコンパクト容器の化粧料充填工程を改善するために、外容器１０に外容器蓋２０と内容物皿蓋４０を組立てた組立体と、内容物皿３０と、をそれぞれ化粧料充填工程に移行させた後、前記内容物皿３０内部に化粧料を充填して外容器１０下側に内容物皿３０が結合されるようにした。
【００４７】
前記内容物皿３０には内容物皿壁３２が底から上側に延長形成される。
【００４８】
前記内容物皿壁３２外周縁には外容器１０の内壁１６内周縁に形成された装着溝１６２に結合される装着突起３２４が形成される。
【００４９】
前記内容物皿壁３２上端には第１密閉突輪３２２が形成される。前記第１密閉突輪３２２は、図４の拡大図から分かるように、外容器１０の内壁１６と第２密閉突輪１７との間に嵌入されて内容物皿３０の密閉力を増大させる。
【００５０】
前記内容物皿３０の下部外周縁には、図４から分かるように、フランジ３４が外側に延長形成されて、内容物皿３０が外容器１０下側に結合される際、外容器１０の外壁１２内周縁に密着される。前記フランジ３４は外容器１０の内部の空いた空間が外部から見えないように覆って審美感を向上させるようになる。
【００５１】
前記内容物皿蓋４０は外容器１０の一側に結合されて前記内容物皿３０を開閉する。
【００５２】
前記内容物皿蓋４０上部にはパフ（Ｐｕｆｆ）のような化粧道具が収容される化粧道具着座溝４２が形成され、外周縁の一側には使用者が内容物皿蓋４０を容易に開閉することができるようにするつまみ４４が形成される。
【００５３】
前記内容物皿蓋４０のつまみ４４の対向側には第２ヒンジ突起４５が形成されて前記外容器１０の第２ヒンジ溝１５に回動可能に結合される。
【００５４】
前記内容物皿蓋４０の下部外周縁には密閉溝４９が形成され、前記密閉溝４９には外容器１０の第３密閉突輪１９が嵌入されて内容物皿３０の密閉力をより増大させるようになる。
【００５５】
また、前記第３密閉突輪１９の上部内周縁には第１密閉突起１９２が形成され、前記密閉溝４９の下部外周縁には第２密閉突起４９２が形成されて互いに締結される。
【００５６】
図８は本発明の他の実施例にかかるコンパクト容器の断面図である。
【００５７】
図８から分かるように、内容物皿蓋４０外周縁に形成された密閉溝４９の代わりに、密閉部４８が形成される場合もある。
【００５８】
前記密閉部４８は内容物皿蓋４０下部面に突出形成され、前記密閉部４８は外容器１０の水平延長片１８内側に嵌入されて内容物皿３０を密閉するようになる。前記密閉部４８は内容物皿蓋４０下部面に一体に形成される場合もあり、前記内容物皿蓋４０とは別途に形成されて内容物皿蓋４０の下部面に結合される場合もある。
【００５９】
上記のように構成された構造が単純で化粧料充填工程が改善されたコンパクト容器の組立方法及び使用方法を説明すれば次の通りである。
【００６０】
本発明にかかる構造が単純で化粧料充填工程が改善されたコンパクト容器を組立てるためには、図３ないし図５から分かるように、外容器１０上部に内容物皿蓋４０と外容器蓋２０をヒンジ結合し、前記内容物皿蓋４０の第２ヒンジ突起４５を外容器１０の第２ヒンジ溝１５に回動可能に結合し、外容器１０の第１ヒンジ突起１３を外容器蓋２０の第１ヒンジ溝２３に回動可能に結合する。
【００６１】
この時、前記内容物皿蓋４０を閉めると、前記外容器１０の第３密閉突輪１９が内容物皿蓋４０の密閉溝４９に嵌入される。
【００６２】
次に、図６と図７から分かるように、内容物皿３０内部に化粧料または化粧料が含浸された含浸部材を充填し、前記内容物皿３０を外容器１０下側から結合し、前記内容物皿３０の装着突起３２４が外容器１０の装着溝１６２に結合されるようにする。
【００６３】
この時、前記内容物皿３０の第１密閉突輪３２２は図４の拡大図から分かるように、外容器１０の内壁１６と第２密閉突輪１７との間に嵌入されるようになり、内容物皿３０のフランジ３４は外容器１０の外壁１２内周縁に密着されながら外容器１０の下部を覆うようになる。
【００６４】
上記のように組立てられた構造が単純で化粧料充填工程が改善されたコンパクト容器を使用する際には、まず外容器１０から外容器蓋２０を開き、内容物皿蓋４０上部に着座されたパフ（Ｐｕｆｆ）を取ってから、前記内容物皿蓋４０を開いて内容物皿３０を外部に露出させる。
【００６５】
以後、前記パフ（Ｐｕｆｆ）で内容物皿３０内部に収容された化粧料または化粧料が含浸された含浸部材上部を押してパフ（Ｐｕｆｆ）についた化粧料を肌に塗布する。
【００６６】
化粧が完了した後には、再び内容物皿蓋４０を閉め、前記内容物皿蓋４０上部にパフ（Ｐｕｆｆ）を着座させた後、外容器蓋２０を閉めて使用を完了する。
【００６７】
以上、本発明で説明したことは構造が単純で化粧料充填工程が改善されたコンパクト容器を実施するための一つの実施例に過ぎず、本発明は前記実施例に限定されるものではない。添付の請求の範囲で請求するように本発明の要旨を逸脱せずに当該発明が属する分野で通常の知識を有する者であれば何人も多様な変更実施が可能な範囲まで本発明の範囲に属するものとみなされなければならない。
【符号の説明】
【００６８】
１０：外容器
１７：第２密閉突輪
１９：第３密閉突輪
２０：外容器蓋
３０：内容物皿
３２：内容物皿壁
３４：フランジ
４０：内容物皿蓋
４９：密閉溝
３２２：第１密閉突輪
【図１】
2019524332.tif 000003
【図２】
2019524332.tif 000004
【図３】
2019524332.tif 000005
【図４】
2019524332.tif 000006
【図５】
2019524332.tif 000007
【図６】
2019524332.tif 000008
【図７】
2019524332.tif 000009
【図８】
2019524332.tif 000010
【国際調査報告】
2019524332.tif 000011
2019524332.tif 000012
2019524332.tif 000013
2019524332.tif 000014